(57)【要約】【課題】医師等の医療関係者が、技術の習得のために必要なデータを配信する支援データ配信装置を提供する。【解決手段】撮影装置により、医師による医療行為に関する手技の状況を撮影した映像データである手技データを受け付ける受付部と、受付部が受け付けた手技データに含まれる手技に対する他の医師の解説データを取得する取得部と、受付部が受け付けた手技データと、手技データに対応して取得部が取得した解説データとを組み合わせて配信データを生成する生成部と、ユーザのリクエストに応じて、当該ユーザの端末に生成部が生成した配信データを配信する配信部とを備える。【選択図】図１
2019036847.tif 000002
【特許請求の範囲】
【請求項１】
撮影装置により、医師による医療行為に関する手技の状況を撮影した映像データである手技データを受け付ける受付部と、
前記受付部が受け付けた手技データに含まれる手技に対する他の医師の解説データを取得する取得部と、
前記受付部が受け付けた手技データと、当該手技データに対応して前記取得部が取得した解説データとを組み合わせて配信データを生成する生成部と、
ユーザのリクエストに応じて、当該ユーザの端末に前記生成部が生成した配信データを配信する配信部と、を備える支援データ配信装置。
【請求項２】
ユーザから、前記配信データに対するコメントデータを受信するコメント受信部をさらに備え、
前記生成部は、配信データに前記コメント受信部が受信したコメントデータを組み合わせ、
前記配信部は、前記生成部がコメントデータを組み合わせた配信データをユーザの端末に配信する請求項１記載の支援データ配信装置。
【請求項３】
他の医師から、前記コメントデータに対する回答データを受信する回答受信部をさらに備え、
前記生成部は、配信データに前記回答受信部が受信した回答データを組み合わせ、
前記配信部は、前記生成部が回答データを組み合わせた配信データをユーザの端末に配信する請求項２記載の支援データ配信装置。
【請求項４】
前記生成部が生成した配信データを、当該配信データの識別子と関連づけて配信データ記憶部に記憶させる登録部をさらに備え、
前記配信部は、前記配信データ記憶部に記憶される配信データのうち、ユーザからリクエストされた識別子の配信データを読み出して配信する請求項１〜３のいずれか１項記載の支援データ配信装置。
【請求項５】
前記受付部が受け付けた複数の手技データを記憶する手技データ記憶部と、
前記手技データ記憶部に記憶される複数の手技データから、関連する内容を切り出し、切り出された複数の手技データをグループデータとして編集し、グループデータの識別子と関連付けてグループデータ記憶部に記憶させる編集部と、をさらに備える請求項１〜４のいずれか１項記載の支援データ配信装置。
【請求項６】
前記配信部は、前記グループデータ記憶部に記憶されるグループデータのうち、ユーザからリクエストされた識別子のグループデータを読み出して配信する請求項５記載の支援データ配信装置。
【請求項７】
前記配信データ記憶部で記憶される配信データに関連付けられ、当該配信データが含む手技の内容に対する質問に関する第１学習用データを、当該配信データの識別子と、当該第１学習用データを送信する送信タイミングと関連付けて記憶する第１学習用データ記憶部をさらに備え、
前記配信部は、前記配信データを配信中、前記第１学習用データ記憶部において、当該配信データの識別子に関連付けられる送信タイミングに、当該配信データに含まれる手技データの映像の再生を中断し、当該配信データの識別子と関連付けられる第１学習用データを表示させる、請求項４記載の支援データ配信装置。
【請求項８】
前記配信部が配信した第１学習用データに対してユーザから送信された回答が入力される入力部と、
前記入力部に入力された回答の正否を判定する判定部とをさらに備え、
前記第１学習用データ記憶部は、第１学習用データと関連付けて、質問に対する回答と、回答の正否毎に結果データを記憶し、
前記配信部は、前記判定部の判定結果に応じた結果データを表示した後、配信データの再生を再開させる、請求項７記載の支援データ配信装置。
【請求項９】
外国語による講義の映像又は学会の映像を含む第２学習用データを記憶する第２学習用データ記憶部をさらに備え、
前記配信部は、ユーザのリクエストに応じて、当該ユーザの端末に第２学習用データを配信する、請求項１〜８のいずれか１項記載の支援データ配信装置。
【請求項１０】
前記受付部が受け付けた手技を行った医師のリストである医師データを記憶する医師データ記憶部と、
前記医師データに含まれる各医師に対して、所定のユーザから与えられた評価を受信し、当該評価を前記医師データに追加する評価部とをさらに備え、
前記配信部は、ユーザのリクエストに応じて、当該ユーザの端末に、前記評価部で追加した評価を含む医師のリストを配信する、請求項１〜９のいずれか１項記載の支援データ配信装置。
【請求項１１】
前記生成部は、配信データとして、手技データを表示する手技データ表示部と、解説データを表示する解説データ表示部とを有する表示画面データを生成する、請求項１〜１０のいずれか１記載の支援データ配信装置。
【請求項１２】
配信データを受信したユーザ端末を利用するユーザに対し、配信データの利用に対して支払う料金に関する演算をするとともに、前記受付部が受け付けた手技データを提供した医師に支払う料金に関する演算を実行する課金処理部と、
前記課金処理部が演算した料金を含む課金データを記憶する課金データ記憶部と、をさらに備える請求項１〜９のいずれか１項記載の支援データ配信装置。
【請求項１３】
前記受付部が受け付けた同一種類の手技に関する複数の手技データを解析し、当該手技に関する理想的な手法を特定する標準データを生成する解析部と、
前記解析部が生成した標準データを記憶する標準データ記憶部と、
新たに手技に関する映像データを取得すると、取得した映像データに対応する標準データを抽出し、抽出した標準データを出力する提供部１１５と、をさらに備える請求項１〜１０のいずれか１項に記載の支援データ配信装置。
【請求項１４】
撮影装置により、医師による医療行為に関する手技の状況を撮影した映像データである手技データを受け付ける受付ステップと、
前記受付ステップで受け付けた手技データに含まれる手技に対する他の医師の解説データを取得する取得ステップと、
前記受付ステップで受け付けた手技データと、当該手技データに対応して前記取得ステップで取得した解説データとを組み合わせて配信データを生成する生成ステップと、
ユーザのリクエストに応じて、当該ユーザの端末に前記生成ステップで生成した配信データを配信する配信ステップとを含む支援データ配信方法。
【請求項１５】
コンピューターに、
撮影装置により、医師による医療行為に関する手技の状況を撮影した映像データである手技データを受け付ける受付機能と、
前記受付機能が受け付けた手技データに含まれる手技に対する他の医師の解説データを取得する取得機能と、
前記受付機能が受け付けた手技データと、当該手技データに対応して前記取得機能が取得した解説データとを組み合わせて配信データを生成する生成機能と、
ユーザのリクエストに応じて、当該ユーザの端末に前記生成機能が生成した配信データを配信する配信機能と、を実現させる支援データ配信プログラム。
【発明の詳細な説明】
【技術分野】
【０００１】
本発明は、医師等の医療関係者が、技術の習得のために必要なデータを配信するものである。
【背景技術】
【０００２】
患者による医師の技術への期待は高く、医師は、高度な技術の習得が求められている。医師は、多忙な中、このような技術の習得をする必要がある。特に、若い医師は、ベテラン医師の技術を参考に、技術の習得をするが、お互いの時間を調整するのは困難であることから、技術の習得の機会を得ることが困難である。また、手術の手技等を習得するためには、手術中に手術室にて見学することが好ましい。
【０００３】
しかしながら、限られた空間に、手術に参加しない者が存在することは、不要に室内での必要な移動等の手術に必要な動作を制限することにつながる。また、手術中に手術室に入ることのできる人の数は限られるため、技術の習得を目的とする見学のためだけに若い医師が何人も手術室に入ることはできない。さらに、仮に、見学のために複数の医師が手術室に入ることができたとしても、実際に手術の手技を十分に見ることができるのは助手などの限られた医師であり、これら複数の医師は、手術の技術を習得するために十分に手術の手技を視認することができない。加えて、様々な種類の手技を得意とする医師も限られており、身近にいるベテラン医師が得意とする手技は習得しやすいが、身近にいるベテラン医師が苦手とする手技は習得しにくい。
【０００４】
従来、医療ミス等の防止に役立てる目的で手術等の様子を記録の為に手術中の映像や音声を記録する技術がある（例えば、特許文献１又は２参照）。一方、これらは、手術の記録の目的で残されるものであり、医師等の医療関係者に有効に利用されるものではない。
【先行技術文献】
【特許文献】
【０００５】
【特許文献１】特開２０１１−１６７３０１号公報
【特許文献２】特開２００４−２４８８９５号公報
【発明の概要】
【発明が解決しようとする課題】
【０００６】
上述したように、医師は、様々な手技を習得しにくい現状がある。
【０００７】
上記課題に鑑み、本発明は、医師が手技を含む様々な技術の習得を支援する支援データ配信装置、支援データ配信方法及び支援データ配信方法に関する。
【課題を解決するための手段】
【０００８】
上記課題を解決するために、本発明の一態様に係る支援データ配信装置は、撮影装置により、医師による医療行為に関する手技の状況を撮影した映像データである手技データを受け付ける受付部と、受付部が受け付けた手技データに含まれる手技に対する他の医師の解説データを取得する取得部と、受付部が受け付けた手技データと、手技データに対応して取得部が取得した解説データとを組み合わせて配信データを生成する生成部と、ユーザのリクエストに応じて、ユーザの端末に生成部が生成した配信データを配信する配信部とを備える。
【発明の効果】
【０００９】
本発明の一態様に係る支援データ配信装置、支援データ配信方法及び支援データ配信プログラムは、医師等の医療関係者が、技術の習得のために必要なデータを配信することができる。
【図面の簡単な説明】
【００１０】
【図１】本発明の一実施形態に係る支援データ配信装置を含む支援データ配信システムの概要を説明する概念図である。
【図２】本発明の一実施形態に係る支援データ配信装置の構成を説明するブロック図である。
【図３】本発明の一実施形態に係る支援データ配信装置を含む支援データ配信システムの構成を説明するブロック図である。
【図４】本発明の一実施形態に係る支援データ配信装置で表示される画面例である。
【図５】支援データ配信システムで実行される手技の一連の流れを習得する処理を説明するシーケンス図である。
【図６】本発明の一実施形態に係る支援データ配信装置で表示される他の画面例である。
【図７】支援データ配信システムで実行される手技の一部の習得する処理を説明するシーケンス図である。
【図８】支援データ配信システムで実行されるｅ−ラーニングの処理を説明するシーケンス図である。
【図９】支援データ配信システムで実行される講義視聴の処理を説明するシーケンス図である。
【図１０】支援データ配信システムで実行されるＷｅｂ会議の処理を説明するシーケンス図である。
【発明を実施するための形態】
【００１１】
以下に、図面を用いて本発明の実施形態に係る支援データ配信装置及び支援データ配信システムについて説明する。支援データ配信装置及び支援データ配信システムは、医師等の医療関係者に対し、手技を含む様々な技術の習得を支援するものである。ここで「手技」とは、医師等の医療関係者による医療的な検査に関する技術や手術の技術、医療機器又は器具の取り扱い等の医療行為に関する技術等である。
【００１２】
図１は、支援データ配信装置１を説明する概念図である。例えば、支援データ配信装置１は、手術中の医師の手元を撮影した映像データ（手技データ）を第１撮影装置２０から受け付ける。また、支援データ配信装置１は、第２撮影装置２１によって撮影された、手技データを視聴した他の医師の解説を撮影した映像データ（解説データ）を第２撮影装置２１から取得する。そして、支援データ配信装置１は、手技データ及び解説データを含むデータを、医師等の学習用のデータとして、希望の医師等のユーザ端末３０，３１に配信する。この他、支援データ配信装置１は、『手技支援』、『ｅ−ラーニングの提供』、『講義視聴』、『Ｗｅｂ会議等のサービスの提供』等を実現することができる。
【００１３】
図２に示すように、実施形態に係る支援データ配信装置１は、撮影装置により、医師による医療行為に関する手技の状況を撮影した映像データである『手技データ』を受け付ける受付部１０１と、受付部１０１が受け付けた手技データに含まれる手技に対する他の医師の『解説データ』を取得する取得部１０２と、受付部１０１が受け付けた手技データと、手技データに対応して取得部１０２が取得した解説データとを組み合わせて『配信データ』を生成する生成部１０３と、ユーザのリクエストに応じて、当該ユーザの端末に生成部１０３が生成した配信データを配信する配信部と１０５を備える。
【００１４】
図３に示すように、支援データ配信システム１００は、支援データ配信装置１と、第１撮影装置２０と、第２撮影装置２１と、複数のユーザ端末３０〜３２と、回答者端末３３と、評価者端末３４，３５とがネットワーク４０を介して接続される。
【００１５】
第１撮影装置２０は、医師等による手技の様子を撮影する装置であって、ビデオカメラやマイクロフォン等から成る。例えば、第１撮影装置２０は、手術中には、手術室に入り、その手術の開始から終了まで医師の手元を撮影する。この第１撮影装置２０が取得するデータが、『手技データ』である。
【００１６】
また、第２撮影装置２１は、第１撮影装置２０とは別の場所に設置される装置であって、ビデオカメラやマイクロフォン等から成る。この、第２撮影装置２１は、手技を行う医師等とは別の医師等により、第１撮影装置２０で撮影された手技を解説する様子を撮影する。この第２撮影装置２１が取得するデータが、『解説データ』である。
【００１７】
ユーザ端末３０〜３２は、支援データ配信システム１００に登録されるユーザの情報処理装置である。具体的には、ユーザ端末３０〜３２は、支援データ配信装置１から配信される映像の表示が可能なディスプレイ、映像データに含まれる音声の出力が可能なスピーカ、ユーザによる質問等の入力が可能な操作ボタン・キーボード・タッチパネル等を有する。また、ユーザ端末３０〜３２が、マイクロフォンやビデオカメラを備えることで、ユーザは、Ｗｅｂ会議に参加可能することが可能となる。なお、図３では、支援データ配信システム１００は３台のユーザ端末３０〜３２のみを有する例を示すが、支援データ配信システム１００が有するユーザ端末の数は限定されない。
【００１８】
回答者端末３３は、支援データ配信システム１００において、ユーザ端末３０〜３２から受信した質問等のコメントに回答する所定の登録者の情報処理装置である。具体的には、回答者端末３３は、支援データ配信装置１から配信される映像の表示が可能なディスプレイ、映像データに含まれる音声の出力が可能なスピーカ、ユーザによる質問等への回答の入力が可能な操作ボタン・キーボード・タッチパネル等を有する。なお、図３では、支援データ配信システム１００は１台の回答者端末３３のみを有する例を示すが、支援データ配信システム１００が有する回答者端末の数は限定されない。例えば、この回答者となるのは、予め登録された特定の医師等である。
【００１９】
評価者端末３４，３５は、支援データ配信システム１００において、登録される医師の評価を入力する評価者の情報処理装置である。具体的には、評価者端末３４は、支援データ配信装置１から配信される映像の表示が可能なディスプレイ、映像データに含まれる音声の出力が可能なスピーカ、評価の入力が可能な操作ボタン・キーボード・タッチパネル等を有する。なお、図３では、支援データ配信システム１００は２台の評価者端末３４，３５のみを有する例を示すが、支援データ配信システム１００が有する評価者端末の数は限定されない。例えば、この評価者となるのは、予め登録された特定の医師等である。
【００２０】
また、図３に示すように、支援データ配信装置１は、受付部１０１、取得部１０２、生成部１０３、登録部１０４、配信部１０５、コメント受信部１０６、回答受信部１０７、編集部１０８、入力部１０９、判定部１１０、会議実行部１１１、評価部１１２、課金処理部１１３、解析部１１４及び提供部１１５を備えてもよい。
【００２１】
この支援データ配信装置１は、中央処理装置（ＣＰＵ）１０、記憶装置１２、通信インタフェース（通信Ｉ／Ｆ）１４等を備える情報処理装置やサーバ装置等で実現することができる。また、支援データ配信装置１は、ＣＰＵ１０、記憶装置１２及び通信Ｉ／Ｆ１４に加え、操作ボタンやキーボード等の入力装置１５や、表示ディスプレイやスピーカ等の出力装置１６を備えてもよい。
【００２２】
例えば、記憶装置１２に記憶される支援データ配信プログラムＰが実行されることで、ＣＰＵ１０が、受付部１０１、取得部１０２、生成部１０３、登録部１０４、配信部１０５、コメント受信部１０６、回答受信部１０７、編集部１０８、入力部１０９、判定部１１０、会議実行部１１１、評価部１１２、課金処理部１１３、解析部１１４及び提供部１１５としての処理を実行する。
【００２３】
なお、記憶装置１２は、支援データ配信プログラムＰに加え、ユーザデータ１２１、プログラムデータ１２２、医師データ１２３、手技データ１２４、解説データ１２５、配信データ１２６、コメントデータ１２７、回答データ１２８、グループデータ１２９、第１学習用データ１３０、第２学習用データ１３１、課金データ１３２及び標準データ１３３を記憶してもよい。
【００２４】
ユーザデータ１２１は、支援データ配信システム１００を利用するために登録されているユーザの情報である。例えば、ユーザの氏名、連絡先、勤務先等の情報である。上述したように、支援データ配信システム１００を使用するのは、技術を習得することを目的とする医師等の医療関係者である。したがって、このユーザデータ１２１で登録されるユーザは、医師等の医療関係者である。
【００２５】
プログラムデータ１２２は、支援データ配信装置１が登録されるユーザに提供可能なプログラムの情報である。具体的には、支援データ配信装置１が配信可能なデータのリストであり、配信データ１２６のリスト、グループデータ１２９のリスト、第２学習用データ１３１のリスト等がある。また、プログラムデータ１２２は、配信データ１２６やグループデータ１２９に含まれる手技のタイトル、内容の簡単な説明や手技を担当する医師の説明等を含んでいてもよい。さらに、第２学習用データ１３１で学習可能な内容のタイトルや簡単な説明を含んでいてもよい。なお、各データについては、後述する。
【００２６】
例えば、このプログラムデータ１２２をユーザ端末３０〜３２で表示する際には、専門毎に分けて表示することで、ユーザに提供可能なプログラムの情報を見やすくすることができる。また、新着のリストを表示したり、ユーザの専門に応じて、おすすめの配信データ１２６やグループデータ１２９を表示するようにしてもよい。
【００２７】
具体的には、図４（ａ）を用いて、ユーザにプログラムを選択させる第１表示画面Ｗ１の一例を説明する。図４（ａ）に示す第１表示画面Ｗ１は、左上側に専門分野を選択する第１選択部ｂ１１を有する。この第１選択部ｂ１１に含まれる専門分野を選択することで、ユーザは、専門分野に含まれるプログラムを選択することが可能となる。
【００２８】
また、第１表示画面Ｗ１は、左下側に学習を希望する内容を選択する第２選択部ｂ１２を有する。例えば、ユーザが、『英語』を選択すると、ユーザは、英語を学習するためのプログラムを選択することが可能となる。例えば、英語で特定の手技を解説するプログラムや、英語で手技等に使用する機器を解説するプログラム等が選択可能となる。
【００２９】
さらに、第１表示画面Ｗ１は、右上側にユーザに視聴をおすすめするプログラムを表示する第１表示部ｂ１３を有する。この第１表示部ｂ１３に表示されるプログラムは、ユーザである医師の専門分野において、人気のあるプログラムや新しく提供が開始されたプログラムのうち、ユーザが未視聴のプログラムである。これにより、ユーザは、多数あるプログラムから自身が視聴することが好ましいプログラムを容易に選択することができる。
【００３０】
加えて、第１表示画面Ｗ１は、右下側にユーザが最近視聴したプログラムを表示する第２表示部ｂ１４を有する。この第２表示部ｂ１４に表示されるプログラムは、ユーザが過去に視聴したプログラムであって、プログラムの途中で視聴を中断し、視聴が完了していないプログラムを優先的に表示することが好ましい。これにより、ユーザは、学習途中のプログラムを容易に選択することができる。
【００３１】
第１表示画面Ｗ１の第１選択部ｂ１１から、『消化器内科』を選択すると、例えば、図４（ｂ）に示す第２表示画面Ｗ２が表示される。この第２表示画面Ｗ２は、学習率表示部ｂ２１を有する。この学習率表示部ｂ２１は、支援データ配信装置１が提供する消化器内科に関するプログラムのうち、ユーザの学習率を表示する。
【００３２】
また、第２表示画面Ｗ２は、プログラムリスト表示部ｂ２２を有する。このプログラムリスト表示部ｂ２２は、支援データ配信装置１が提供する消化器内科に関するプログラムのリストを表示するものである。このプログラムリスト表示部ｂ２２では、例えば、支援データ配信装置１は、プログラムのリストを、最新のプログラムから順（新着順）に表示してもよいし、人気の高いプログラムから順に表示してもよい。また、例えば、支援データ配信装置１は、ユーザが過去に視聴したことのあるプログラムを、上位に表示せずに、下位に表示するようにしてもよい。なお、プログラムリスト表示部ｂ２２におけるプログラムの表示の順序は、ユーザが自由に設定可能であってもよい。
【００３３】
医師データ１２３は、支援データ配信装置１が提供する手技の映像を担当した医師や、手技について解説した医師や、その他の情報を提供した医師のリストである。言い換えれば、受付部１０１が手技データ１２４を受け付けた手技を行った医師や取得部１０２が取得した解説データ１２５において解説を行った医師のリストである。
【００３４】
手技データ１２４は、支援データ配信装置１が提供する手技の映像データである。記憶装置１２では、受付部１０１が受け付けた複数の手技データ１２４を記憶する。この手技データ１２４は、手技を行う執刀医等のメインとなる医師の手元や、その様子が十分に視認可能な状態で撮影されたものであることが好ましい。具体的には、手技データ１２４は、手術に立ち会った者であったとしても、執刀医の側につく助手等の限られた医師のみにしか見ることのできない様子であって、その手元を拡大して撮影されたものであることが好ましい。
【００３５】
また、手技データ１２４は、手技の初めから終わりまでの一連の様子が撮影されたものであることが好ましい。具体的には、出血を伴う手術の映像である場合、その準備から止血までの様子を連続で全て含むものであることが好ましい。なお、手技データ１２４は、映像に加え、音声も含むことが好ましい。
【００３６】
解説データ１２５は、手技データ１２４に対応し、この手技について解説するデータである。この解説データ１２５は、受付部１０１が受け付けた手技データに含まれる手技に対する他の医師の解説である。この解説データ１２５は、解説する医師の映像とともに、解説する音声も含む。例えば、手技データ１２４の映像で映し出される状況に関する解説や、手技データ１２４の映像で使用される機器や器具に関する解説等である。
【００３７】
配信データ１２６は、手技データ１２４と、対応する解説データ１２５とを組み合わせて生成されたデータである。このとき、なお、配信データ１２６は、手技データ１２４と解説データ１２５に加え、手技データ１２４で手技を担当した医師による手技の解説の映像等を含んでいてもよい。また、配信データ１２６は、手技データ１２４と解説データ１２５に加え、手技に必要なデータを含んでいてもよい。手技に必要なデータとは、例えば、手技で使用する内視鏡画像、レントゲン画像、血圧計や心拍計等のセンサ値等のデータである。さらに、配信データ１２６は、手技データ１２４と解説データ１２５に加え、手技で使用する機器、器具、薬品等の説明や仕様等を含んでもよい。
【００３８】
コメントデータ１２７は、配信データ１２６を参照したユーザから受信したコメントのデータである。具体的には、コメントデータ１２７は、ユーザによって入力された質問等のコメントのテキストデータであって、配信データ１２６のどの時刻に対応するかの情報を含む。すなわち、コメントデータ１２７は、手技データ１２４や解説データ１２５のうちのどの部分に対応するコメントであるかが分かるように、時間情報等と関連付けられることが好ましい。また、このコメントデータ１２７は、コメントの識別子と関連付けられて記憶されることが好ましい。
【００３９】
回答データ１２８は、コメントデータ１２７に対するいずれのユーザから受信した回答のデータである。具体的には、回答データ１２８は、ユーザによって入力された回答のテキストデータであって、どのコメントに対応する回答であるかが分かるようにコメントの識別子と関連付けられるものである。
【００４０】
グループデータ１２９は、記憶装置１２に記憶される複数の手技データ１２４から、関連する内容を切り出し、切り出された複数の手技データ１２４がグルーピングされたデータである。ユーザは、このグループデータ１２９に含まれる複数の映像データ（手技データ１２４の一部）を見ることで、同一内容の手技について異なるパターンで学習することができる。
【００４１】
第１学習用データ１３０は、配信データ１２６に関連付けられ、対象の配信データ１２６が含む手技の内容に対する質問のデータである。すなわち、支援データ配信装置１は、医師等の技術の習得を目的として利用されるものである。したがって、第１学習用データ１３０は、対象の配信データ１２６が含む手技で学ぶことが可能な技術に関する問いかけ等の質問のデータである。
【００４２】
なお、記憶装置１２は、第１学習用データ１３０に、対象の配信データ１２６の識別子と、第１学習用データ１３０を送信する送信タイミングと関連付けて記憶する。すなわち、手技データ１２４や解説データ１２５と無関係な質問をしても意味がなく、手技データ１２４や解説データ１２５から派生する質問をすることで、学習効果を高めることができる。したがって、手技データ１２４や解説データ１２５の再生のタイミングと合わせて質問のタイミングを設定する。
【００４３】
また、記憶装置１２は、第１学習用データ１３０と関連付けて、質問に対する正解の回答と、回答の正否毎の結果データを記憶する。正否毎の結果データとは、例えば、正否の通知と、正解であった場合に対象の手技から学ぶべきポイントとなる事項や、不正解であった場合に対象の手技から学ぶべきポイントとなる事項である。
【００４４】
第２学習用データ１３１は、外国語による講義の映像又は学会の映像に関するデータである。
【００４５】
課金データ１３２は、課金処理部１１３が演算に利用する金額のデータを含む。また、課金データ１３２は、課金処理部１１３で演算された、ユーザが支援データ配信システム１００の管理者に支払う金額のデータと、支援データ配信システム１００の管理者が支払う金額のデータを含む。
【００４６】
標準データ１３３は、手技に関する標準的なデータである。具体的には、標準データ１３３は、手技の理想的な映像データや理想的な情報を含むデータである。
【００４７】
受付部１０１は、第１撮影装置２０により、医師による医療行為に関する手技の状況を撮影した映像データである手技データ１２４を、ネットワーク４０を介して受け付ける。また、受付部１０１は、入力された手技データ１２４を、識別子を付して記憶装置１２に記憶する。
【００４８】
取得部１０２は、受付部１０１が受け付けた手技データ１２４に含まれる手技に対する他の医師の解説データ１２５を第２撮影装置２１から取得する。また、取得部１０２は、入力された解説データ１２５を、識別子を付して記憶装置１２に記憶する。このとき、解説データ１２５では、解説する対象の手技データ１２４の識別子も関連付けて記憶する。なお、解説データ１２５を取得するため、他の医師は、第２撮影装置２１とともに対象の手技データ１２４を確認するためのディスプレイ等の装置構成が必要であるが、図３において、これらの構成は省略している。なお、解説データ１２５は、音声データに加え、映像データを含んでいてもよく、また、テキストデータ等を含んでもよい。以下の説明では、解説データ１２５も映像データであるものとして説明する。
【００４９】
生成部１０３は、受付部１０１が受け付けた手技データ１２４と、手技データ１２４に対応して取得部１０２が取得した解説データ１２５とを組み合わせて配信データ１２６を生成する。図示を用いた説明は省略するが、手技データ１２４に内視鏡画像、レントゲン画像又はセンサ値等の手技に必要なデータが関連付けられる場合、生成部１０３は、手技データ１２４と関連付けられるこれらの手技に必要なデータも含む配信データ１２６を生成する。
【００５０】
登録部１０４は、生成部１０３が生成した配信データ１２６を、識別子を付して記憶装置１２に記憶する。このとき、登録部１０４は、配信データ１２６の生成に使用した手技データ１２４の識別子及び解説データ１２５の識別子も関連付けて記憶装置１２に記憶する。
【００５１】
配信部１０５は、ユーザのリクエストに応じて、ユーザ端末３０〜３２に配信データ１２６、グループデータ１２９、第２学習用データ１３１を記憶装置１２から読み出して配信する。また、配信部１０５は、配信データ１２６をユーザ端末３０〜３２に配信中、配信データ１２６の識別子に関連付けられる第１学習用データ１３０の送信タイミングに、その配信データ１２６に含まれる手技データ１２４の映像の再生を中断し、配信データ１２６の識別子と関連付けられる第１学習用データ１３０を表示させる。
【００５２】
コメント受信部１０６は、ユーザ端末３０〜３２から、配信データ１２６に対するユーザのコメントデータ１２７を受信する。また、生成部１０３は、配信データ１２６にコメント受信部１０６が受信したコメントデータ１２７を組み合わせる。したがって、その後、配信部１０５は、生成部１０３がコメントデータ１２７を組み合わせた配信データ１２６をユーザの端末に配信する。これにより、全てのユーザが、配信データ１２６に含まれる同一のコメントを確認することが可能となる。
【００５３】
回答受信部１０７は、他の医師により回答者端末３３を介して入力されたコメントデータ１２７に対する回答データを受信する。生成部１０３は、配信データ１２６に回答受信部１０７が受信した回答データを組み合わせる。したがって、その後、配信部１０５は、生成部１０３が回答データを組み合わせた配信データをユーザの端末に配信する。
【００５４】
編集部１０８は、記憶装置１２に記憶される複数の手技データ１２４から、関連する内容を切り出し、切り出された複数の手技データ１２４をグループデータ１２９として編集し、グループデータの識別子と関連付けて記憶装置１２に記憶させる。
【００５５】
入力部１０９は、配信部１０５が配信した第１学習用データ１３０に対してユーザから送信された回答がネットワーク４０を介して入力される。
【００５６】
判定部１１０は、入力部１０９に入力された回答の正否を判定する。なお、配信部１０５は、判定部１１０の判定結果に応じた結果データを表示した後、配信データ１２６の再生、具体的には、手技データ１２４及び解説データ１２５の再生を再開させる。
【００５７】
会議実行部１１１は、Ｗｅｂ会議に参加するユーザを登録し、登録ユーザのユーザ端末３０〜３２から送信されたデータにより会議データを生成し、登録ユーザの端末３０〜３２に配信する。会議には、医師等の医療関係者による意見の交換や相談等様々な状況を含む。例えば、ある症例に関する検討会を会議とすることができる。また例えば、配信データ１２６が含む手技データ１２４の手技を担当した医師や解説した医師と、配信データ１２６を視聴した複数の医師等で、その手技に対する意見の交換等の勉強会も含む。これにより、移動の負担を強いられることなく、若い医師等は、ベテラン医師に気軽に質問等をする機会を得ることができる。また、物理的に離れた場所にいる医師等が交流する機会を得ることができ、医療技術の発展に貢献することもできる。例えば、このとき、自身の氏名等を紹介する必要はなく、匿名により参加したい医師等は、匿名で会議に参加できるようにしてもよい。
【００５８】
評価部１１２は、医師データ１２３に含まれる各医師に対して、所定のユーザから与えられた評価を受信し、当該評価を医師データに追加する。ここで使用する評価は、評価点で表してもよいし、評価点を所定の段階に分けたレベルやこのレベルと対応する星印の数で表してもよい。なお、配信部１０５は、ユーザのリクエストに応じて、ユーザの端末３０〜３２に、評価部１１２で追加した評価を含む医師のリストを配信する。また、配信部１０５は、例えば、患者が医師を選択する目的で利用するため、リクエストに応じ、患者が使用する端末（図示せず）に評価部１１２によって登録された評価を含む医師のリストを配信可能としてもよい。
【００５９】
また、評価部１１２で使用する評価は、手技の技術に関する評価や、患者への対応に関する評価等、複数の項目の評価を含んでもよい。このとき、各項目の評価は、複数の評価者によって評価することが好ましく、これら複数の評価者による評価を総合的に判断して決定することができる。また、各項目の評価は、別々の視点による評価であるため、異なる評価者から評価されてもよい。
【００６０】
課金処理部１１３は、課金に関する処理を実行する。具体的には、課金処理部１１３は、配信データ１２６の提供を受けるユーザが支援データ配信システム１００を管理する管理者に、システムの利用に対して支払う料金に関する演算を実行する。また課金処理部１１３は、支援データ配信システム１００の管理者が、手技データ１２４、解説データ１２５、回答データ１２８の生成に協力した医師等に支払う料金に関する演算を実行する。すなわち、支援データ配信システム１００において、ユーザ端末３０〜３３を用いて学習等を行うユーザは、学習をするための料金を支払う。また、撮影装置２０，２１を介して手技に関する映像データを提供する医師や、質問に対する回答を行う医師等は、教育することの対価を受け取る。
【００６１】
課金処理部１１３における料金の演算方法については、種々の方法が考えられる。例えば、若い医師等の教育を支援する目的で、支援データ配信システム１００の利用期間が短いユーザは支払う金額を低く設定し、利用期間が長くなるほど支払う金額を高く設定してもよい。この場合、例えば、課金処理部１１３は、支援データ配信システム１００の管理者が手技データ１２４、解説データ１２５、回答データ１２８の生成に協力した医師等に支払う金額を、各データの提供を受けたユーザが支援データ配信システム１００の管理者に対して支払った金額に比例して決定してもよいし、データの提供を受けたユーザの人数に応じて決定してもよい。または、評価部１１２等により、手技データ１２４、解説データ１２５、回答データ１２８の生成に協力した医師等に対して評価がされているとき、それらの医師に対しては評価に応じた金額で決定してもよい。その他、視聴するユーザが手技データ１２４、解説データ１２５、回答データ１２８の生成に協力した医師等に対して評価をすることが可能であるとき、それらの医師に対しては視聴したユーザが決定した評価に応じた金額で決定してもよい。すなわち、評価の高い医師に支払う金額を高くしてもよい。
【００６２】
解析部１１４は、手技の標準的な映像データを生成する。例えば、解析部１１４は、手技データ１２４の中から、同一種類の手技に関する複数の映像データを用いて機械学習等を用いて対象の手技に対する標準的なデータを生成し、標準データ１３４として記憶装置１２に記憶する。この標準データ１３４は、その手技に対する理想的な手法を特定するデータである。したがって、解析部１１４は、その手技データ１２４に対して評価部１１２等に評価が設定されている場合、その評価に応じた重みを考慮して標準データ１３４を生成してもよい。
【００６３】
提供部１１５は、医師等が手技を行っている間、手技の支援のためのデータを出力することができる。例えば、提供部１１５は、その手技を撮影する撮影装置（図示せず）で得られたデータを、記憶装置１２で記憶される標準データ１３４と比較し、その手技に対してアドバイスや補助信号等のデータを提供する。例えば、提供部１１５は、手技の間、手技の撮影データを、標準データ１３４と比較し、進行中の手技をよりアドバイス等の音声データを出力する。または、提供部１１５は、手技の間、手技の撮影データを、標準データ１３４と比較し、比較した結果から、手技に必要な操作を実行する操作信号データを出力する。操作信号データとしては、例えば、照明の調整するための操作や、手技に必要な機器を制御するための操作に関するデータが考えられる。
【００６４】
その他、提供部１１５は、手技を行っている間、その手技に対応する標準データ１３４自体を提供してもよい。すなわち、提供部１１５が、映像データである標準データ１３４を、手技を行う医師等が確認可能なディスプレイに出力する。これにより、医師等は、理想的な手技の映像を参考にしながら手技を行うことが可能になる。
【００６５】
《手技の一連の流れの習得》
支援データ配信装置１が提供するデータの一例に、「手技の一連の流れを習得するための配信データ１２６」がある。
【００６６】
図５のシーケンス図を用いて、ユーザが、配信データ１２６を用いて、手技の一連の流れを習得する際の支援データ配信システム１００における処理について説明する。まず、ユーザが、ユーザ端末３０を利用し、ネットワーク４０を介して支援データ配信装置１からプログラムデータ１２２を取得し（Ｓ００１）、視聴を希望する配信データ１２６を指定する。これにより、ユーザ端末３０から支援データ配信装置１に、配信データ１２６の配信のリクエストが送信される（Ｓ００２）。プログラムデータ１２２によってユーザ端末３０で表示される表示画面は、例えば、図４（ａ）を用いて説明した第１表示画面Ｗ１や図４（ｂ）を用いて説明した第２表示画面Ｗ２である。これらの表示画面Ｗ１，Ｗ２を利用して選択されたプログラムが、配信のリクエストとして送信される。
【００６７】
続いて、支援データ配信装置１は、ステップＳ００２でリクエストされた配信データ１２６を配信する（Ｓ００３）。これにより、ユーザは、配信データ１２６に含まれる手技データ１２４及び解説データ１２５から、対象の手技等に関する技術を習得することができる。また、このとき、回答者端末３３にも配信データが送信されてもよい。
【００６８】
図６（ａ）に、配信データ１２６により表示される第３表示画面Ｗ３の一例を示す。図６（ａ）に示す第３表示画面Ｗ３は、手技データ１２４が表示される手技データ表示部ｂ３１、解説データ１２５が表示される解説データ表示部ｂ３２及びコメントを入力可能なコメント入力部ｂ３３を有する。
【００６９】
手技データ１２４と解説データ１２５とは同期している。すなわち、解説データ１２５で解説される内容は、手技データ１２４で表示されている状況に対応するものである。したがって、手技データ１２４で表示されている状況を、手技データ１２４の映像と解説データ１２５の解説から学習することができる。なお、解説データ１２５に映像が不要な場合には、解説データ１２５を非表示にしてもよい。すなわち、解説データ１２５は、主に解説者の映像であるため、解説者の映像は不要である場合に非表示としてもよい。また、これはユーザによって選択可能としてもよく、ユーザが手技データ１２４の拡大を希望する場合、解説データ表示部ｂ３２とコメント入力部ｂ３３を非表示とする操作が実行されると、手技データ表示部ｂ３１を拡大して表示可能としてもよい。
【００７０】
コメント入力部ｂ３３は、ユーザが配信データ１２６を視聴中に生じたコメントを入力可能なコメント記載欄ｂ３３１と、このコメント記載欄ｂ３３１に入力したコメントを支援データ配信装置１に送信するための送信ボタンｂ３３２とを有する。
【００７１】
また、図６（ｂ）に、配信データ１２６により表示される第４表示画面Ｗ４の一例を示す。図６（ｂ）に示す第４表示画面Ｗ４は、手技データ１２４が表示される手技データ表示部ｂ４１、解説データ１２５が表示される解説データ表示部ｂ４２及び手術に必要な画像データが表示される必要データ表示部ｂ４３を有する。ここで、各表示部ｂ４１〜ｂ４３に表示されるデータは同期している。
【００７２】
ユーザは、配信データ１２６を視聴中に疑問等が発生した場合、ユーザ端末３０を利用し、コメントデータ１２７を入力する。具体的には、第３表示画面Ｗ３のコメント記載欄ｂ３３１にコメントを入力し、送信ボタンｂ３３２を押下する。これにより、ユーザ端末３０から支援データ配信装置１に、コメントデータ１２７が送信される（Ｓ００４）。
【００７３】
その後、支援データ配信装置１は、ステップＳ００４で送信されたコメントデータ１２７を登録する（Ｓ００５）。
【００７４】
続いて、支援データ配信装置１は、ステップＳ００５で登録されたコメントデータ１２７を含む配信データ１２６を送信する（Ｓ００６）。
【００７５】
また、コメントデータ１２７を含む配信データ１２６を受信した回答者端末３３では、回答者によりコメントに対する回答データ１２８が入力される。これにより、回答者端末３３から支援データ配信装置１に回答データ１２８が送信される（Ｓ００７）。
【００７６】
その後、支援データ配信装置１は、ステップＳ００７で送信された回答データ１２８を登録する（Ｓ００８）。
【００７７】
次に、支援データ配信装置１は、回答データ１２８を含む配信データ１２６を送信する（Ｓ００９）。これにより、ユーザ端末３０は、コメントに対する回答を確認することができる。その後も、配信データ１２６の配信が終了するまで、支援データ配信装置１はユーザ端末３０に配信データ１２６の配信を継続するため、ユーザは配信データ１２６の視聴を継続する。ここで、配信データ１２６の終了は、配信データが終了するタイミングであってもよいし、ユーザにより操作され、ユーザ端末３０から送信された終了リクエストを支援データ配信装置１が受信したタイミングであってもよい。
【００７８】
なお、コメントがなくても、ユーザ端末３０には支援データ配信装置１から配信データ１２６の配信が継続され、ユーザは、配信データ１２６を視聴することができる。また、コメントがされても、回答データ１２８が登録されるまでは、配信データ１２６が登録されるまでも、ユーザは、回答データ１２８の含まれない配信データ１２６を視聴する。
【００７９】
図５では、ユーザ端末３０のみ示すが、仮に他のユーザ端末３１，３２でも配信データ１２６が視聴されている場合、ユーザ端末３０から送信されたコメントデータ１２７及びこれに対応する回答データ１２８を含む配信データ１２６が他のユーザ端末３１，３２にも送信される。そして、他のユーザ端末３１，３２から送信されたコメントデータ１２７及びこれに対応する回答データを含む配信データ１２６は、ユーザ端末３０にも送信される。すなわち、いずれかのユーザ端末３０〜３２から送信されたコメントデータ１２７及びこれに対応する回答データ１２８はすべての配信データ１２６に反映されるため、全てのユーザ端末３０〜３２で確認することができる。したがって、一のユーザのコメントは、他の全てのユーザが確認し、学習することができる。
【００８０】
上述したように、この配信データ１２６は、手技の際の医師の手元が十分に視認可能な状態で撮影されたものである。また、配信データ１２６に含まれる手技データ１２４で撮影された手技を行う医師は、ベテラン医師であることが好ましい。さらに、上述したように、配信データ１２６は、手技を行う医師とは他の医師が、当該手技を解説する解説データ１２５を含む。したがって、この配信データ１２６を視聴するユーザは、ベテラン医師の手技を習得することができる。
【００８１】
なお、配信データ１２６に含まれる手技データ１２４及び解説データ１２５はリアルタイム画像であってもよい。実況中継として同タイミングで行われている手技の状況を視聴することで、ユーザは、より親近感を持って学習することができる。
【００８２】
また、配信データ１２６は、予め生成され、記憶装置１２に記憶されているものであってもよい。配信データ１２６が予め生成されて記憶装置１２に記憶されているものである場合、連続して配信データ１２６を再生するだけでなく、一時停止したり、巻き戻して再生したりできるようにしてもよい。
【００８３】
《手技の一部の習得》
支援データ配信装置１が提供するデータの一例に、「手技の一部を習得するためのグループデータ１２９」がある。
【００８４】
図７のシーケンス図を用いて、ユーザが、グループデータ１２９を用いて、手技の一部を集中して習得する際の支援データ配信システム１００における処理について説明する。まず、ユーザが、ユーザ端末３０を利用し、ネットワーク４０を介して支援データ配信装置１からプログラムデータ１２２を取得し（Ｓ１０１）、視聴を希望するグループデータ１２９を指定する。これにより、ユーザ端末３０から支援データ配信装置１に、グループデータ１２０の配信のリクエストが送信される（Ｓ１０２）。
【００８５】
続いて、支援データ配信装置１は、ステップＳ１０２でリクエストされたグループデータ１２９を配信する（Ｓ１０３）。これにより、ユーザは、グループデータ１２９に含まれる手技データ１２４の抜粋部分から、対象の手技等に関する技術を習得することができる。
【００８６】
上述したように、グループデータ１２９は、複数の手技データ１２４から、特定の内容の抜粋箇所を集めて形成されたデータである。例えば、手技のうち、難しい部分について、複数のベテラン医師の異なる手法を視ることで、その部分について集中的に習得することができる。
【００８７】
ここで、グループデータ１２９は、グループデータ１２９が含む複数の手技データ１２４のリストを含み、リストから、視聴を希望するいずれかの手技データ１２４を選択可能にしてもよい。この場合、支援データ配信装置１は、グループデータ１２９から選択された手技データ１２４を再生する。また、グループデータ１２９が含む全ての手技データ１２４を所定の順序で連続して再生するようにしてもよい。さらに、支援データ配信装置１では、グループデータ１２９は、手技データ１２４を再生するだけでなく、一時停止や巻き戻し再生を自由にすることができるようにしてもよい。
【００８８】
なお、図６では、ユーザ端末３０を例として説明したが、他のユーザ端末３１，３２でも同様に実行できる。
【００８９】
《ｅ−ラーニング》
支援データ配信装置１が提供するサービスの一例に、「ｅ−ラーニング」がある。ｅ−ラーニングは、上述したような配信データを配信中に、ユーザに質問が問いかけられ、ユーザがそれに答えることで、ユーザの技術の習得を支援するものである。
【００９０】
図８に示すシーケンス図を用いて、ｅ−ラーニングが実行される場合の支援データ配信システム１００における処理について説明する。まず、ユーザが、ユーザ端末３０を利用し、ネットワーク４０を介して支援データ配信装置１からプログラムデータ１２２を取得し（Ｓ２０１）、視聴を希望する配信データ１２６を指定する。ここで、ユーザに指定される配信データ１２６は、ｅ−ラーニング用教材として登録されるデータである。これにより、ユーザ端末３０から支援データ配信装置１に、配信データ１２６の配信のリクエストが送信される（Ｓ２０２）。
【００９１】
続いて、支援データ配信装置１は、ステップＳ２０２でリクエストされた配信データ１２６を配信する（Ｓ２０３）。これにより、ユーザは、配信データ１２６に含まれる手技データ１２４及び解説データ１２５から、対象の手技等に関する技術を習得することができる。
【００９２】
支援データ配信装置１は、配信データ１２６を配信中、記憶装置１２から第１学習用データ１３０で配信中の配信データ１２６の識別子と関連付けられる第１学習用データ１３０を抽出する（Ｓ２０４）。
【００９３】
また、支援データ配信装置１は、当該タイミングに、配信データ１２６の再生を中断させる（Ｓ２０５）。さらに、支援データ配信装置１は、ステップＳ２０４で抽出した第１学習用データ１３０をユーザ端末３０に送信する（Ｓ２０６）。これにより、ユーザ端末３０では、配信データ１２６の再生が中断され、第１学習用データ１３０が表示される。
【００９４】
ユーザ端末３０は、ステップＳ２０６で送信された第１学習用データ１３０に対して入力された回答を、支援データ配信装置１に送信する（Ｓ２０７）。
【００９５】
支援データ配信装置１は、第１学習用データ１３０に関連付けられる回答を参照し、ステップＳ２０７で送信された回答の正否判定する（Ｓ２０８）。
【００９６】
その後、支援データ配信装置１は、第１学習用データ１３０に関連付けられる結果データをユーザ端末３０に送信する（Ｓ２０９）。このとき、ステップＳ２０８でユーザの回答が正解と判定されると、正解に対応付けられる結果データを送信し、不正解と判定されると、不正解に対応付けられる結果データを送信する。
【００９７】
続いて、支援データ配信装置１は、配信データ１２６を送信する（Ｓ００９）。これにより、ユーザ端末３０は、回答に対する正否を確認した後、配信データ１２６を確認することとなる。なお、１の配信データ１２６に対する質問は複数あってもよく、その場合、ステップＳ２０４〜Ｓ２１０の処理は、複数回繰り返される。
【００９８】
このとき、配信データ１２６は、連続して再生するだけでなく、一時停止や巻き戻し再生を自由にすることができるようにしてもよい。なお、図８では、ユーザ端末３０を例として説明したが、他のユーザ端末３１，３２でも同様に実行できる。
【００９９】
《講義視聴》
支援データ配信装置１が提供するサービスの一例に、「講義視聴」がある。この「講義」とは、例えば、外国語による手技や手技等に使用する機器の説明等の映像である。外国語で手技を学ぶ機会や外国語で機器等を学ぶ機会は限られている。したがって、このような講義でユーザがユーザ端末３０を利用して手技を学ぶ機会を得ることができる。また、例えば、「講義」として、学会の講演等の映像であってもよい。すなわち、スケジュール等の関係により、希望の学会等に参加できないユーザも多い。したがって、このような講義でユーザがユーザ端末３０を使用して、学会で得ることのできる情報を学習することができる。
【０１００】
図９に示すシーケンス図を用いて、講義が視聴される場合の支援データ配信システム１００における処理について説明する。まず、ユーザが、ユーザ端末３０を利用し、ネットワーク４０を介して支援データ配信装置１からプログラムデータ１２２を取得し（Ｓ３０１）、視聴を希望する講義を指定する。これにより、ユーザ端末３０から支援データ配信装置１に、指定された講義に対応する第２学習用データ１３１の配信のリクエストが送信される（Ｓ３０２）。
【０１０１】
続いて、支援データ配信装置１は、ステップＳ３０２でリクエストされた第２学習用データ１３１を配信する（Ｓ３０３）。これにより、ユーザ端末３０では、第２学習用データ１３１が再生される。したがって、ユーザは、第２学習用データ１３１から、希望する技術を習得することができる。
【０１０２】
なお、第２学習用データ１３１は、連続して再生するだけでなく、一時停止や巻き戻し再生を自由にすることができるようにしてもよい。また、図９では、ユーザ端末３０を例として説明したが、他のユーザ端末３１，３２でも同様に実行できる。
【０１０３】
《Ｗｅｂ会議》
支援データ配信装置１が提供するサービスの一例に、「Ｗｅｂ会議」がある。この「Ｗｅｂ会議」とは、例えば、複数人で話し合うことにより何かを決定する会議の他、複数人が集まる勉強会等、同時にネットワーク４０によりユーザ端末３０〜３２を介して接続される複数人が意見等を交換したり、情報を共有する場である。
【０１０４】
図１０に示すシーケンス図を用いて、Ｗｅｂ会議が実行される場合の支援データ配信システム１００における処理について説明する。まず、会議に参加するユーザが、ユーザ端末３０〜３２を利用し、ネットワーク４０を介して支援データ配信装置１に参加リクエストを送信する（Ｓ４０１）。
【０１０５】
支援データ配信装置１は、参加リクエストを送信したユーザを、参加ユーザとして登録する（Ｓ４０２）。
【０１０６】
続いて、各参加ユーザは、会議が開始すると、ユーザ端末３０〜３２を利用して、データを送信する（Ｓ４０３）。例えば、このＷｅｂ会議が、音声のみで行われる場合であれば、送信データは、ユーザ端末３０〜３２のマイクロフォン等で取得される音声データのみでもよい。また、テレビ会議であれば、ユーザ端末３０〜３２のマイクロフォン等で取得される音声データに加え、ビデオカメラ等で取得される映像データも必要である。さらに、送信データは、ユーザが、ユーザ端末３０〜３２のキーボード等を利用して入力した文字データ等を含んでもよい。
【０１０７】
支援データ配信装置１は、ステップＳ４０３でユーザ端末３０〜３２から送信されたデータを合成し、会議データを生成する（Ｓ４０４）。
【０１０８】
また、支援データ配信装置１は、ステップＳ４０２で登録した参加ユーザの端末３０〜３２に、ステップＳ４０４で生成した会議データを送信する（Ｓ４０５）。これにより、各ユーザ端末３０〜３２では、会議データが再生される。したがって、各ユーザは、移動をすることなく、自室において会議に参加することが可能になる。
【０１０９】
上記実施の形態において、支援データ配信装置１の各部は、上述したように、ＣＰＵおよびメモリを用いてソフトウェアによって実現してもよいし、集積回路（ＩＣ（Ｉｎｔｅｇｒａｔｅｄ  Ｃｉｒｃｕｉｔ）チップ、ＬＳＩ（Ｌａｒｇｅ  Ｓｃａｌｅ  Ｉｎｔｅｇｒａｔｉｏｎ））等に形成された論理回路（ハードウェア）や専用回路によって実現してもよい。また、各機能部は、１又は複数の集積回路により実現されてよく、複数の機能部の機能を１つの集積回路により実現されることとしてもよい。ＬＳＩは、集積度の違いにより、ＶＬＳＩ、スーパーＬＳＩ、ウルトラＬＳＩなどと呼称されることもある。また、当該回路は、再構築可能な回路（例えば、ＦＰＧＡ：Ｆｉｅｌｄ  Ｐｒｏｇｒａｍｍａｂｌｅ  Ｇａｔｅ  Ａｗａｙ）により実現されてもよい。
【０１１０】
支援データ配信装置１の各機能部をソフトウェアにより実現する場合、支援データ配信装置１は、各機能を実現するソフトウェアである支援データ配信プログラムＰの命令を実行するＣＰＵ、支援データ配信プログラムＰおよび各種データがコンピューター（又はＣＰＵ）で読み取り可能に記録されたＲＯＭ（Ｒｅａｄ  Ｏｎｌｙ  Ｍｅｍｏｒｙ）又は記憶装置（これらを「記録媒体」と称する）、支援データ配信プログラムＰを展開するＲＡＭ（Ｒａｎｄｏｍ  Ａｃｃｅｓｓ  Ｍｅｍｏｒｙ）などを備えている。そして、コンピューター（又はＣＰＵ）が支援データ配信プログラムＰを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、支援データ配信プログラムＰは、支援データ配信プログラムＰを伝送可能な任意の伝送媒体（通信ネットワークや放送波等）を介して上記コンピューターに供給されてもよい。本発明は、支援データ配信プログラムＰが電子的な伝送によって具現化された、搬送波に埋め込まれたデータ信号の形態でも実現され得る。
【０１１１】
なお、支援データ配信プログラムＰは、例えば、ＡｃｔｉｏｎＳｃｒｉｐｔ、ＪａｖａＳｃｒｉｐｔ（登録商標）などのスクリプト言語、Ｏｂｊｅｃｔｉｖｅ−Ｃ、Ｊａｖａ（登録商標）などのオブジェクト指向プログラミング言語、ＨＴＭＬ５などのマークアップ言語などを用いて実装できる。
【０１１２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【０１１３】
上記実施の形態に示した構成並びに参考例に示した構成は適宜組み合わせることとしてもよい。
【符号の説明】
【０１１４】
１  支援データ配信装置
１０１  受付部
１０２  取得部
１０３  生成部
１０４  登録部
１０５  配信部
１０６  コメント受信部
１０７  回答受信部
１０８  編集部
１０９  入力部
１１０  判定部
１１１  会議実行部
１１２  評価部
１１３  課金処理部
１１４  解析部
１１５  提供部
１２４  手技データ
１２５  解説データ
１２６  配信データ
１２７  コメントデータ
１２８  回答データ
１２９  グループデータ
１３０  第１学習用データ
１３１  第２学習用データ
１３２  課金データ
１３３  標準データ
１００  支援データ配信システム
Ｐ  支援データ配信プログラム
【図１】
2019036847.tif 000003
【図２】
2019036847.tif 000004
【図３】
2019036847.tif 000005
【図４】
2019036847.tif 000006
【図５】
2019036847.tif 000007
【図６】
2019036847.tif 000008
【図７】
2019036847.tif 000009
【図８】
2019036847.tif 000010
【図９】
2019036847.tif 000011
【図１０】
2019036847.tif 000012